(57)【特許請求の範囲】
【請求項１】
人体、或いは、人体を構成する一部分に感応して、人体が退いたことを検知して用便が終了したことを検知して検出信号を出力する人体検出手段と、
人体検出手段からの検出信号を受けて所定時間注意音を発生する音発生手段と、
前記音発生手段からの注意音の発生が終わってから水を便器内に流す出水制御手段と
を備えたことを特徴とする洗浄式トイレ。
【発明の詳細な説明】
【０００１】
【産業上の利用分野】
本発明は、使用後に水を流し便器内を洗浄する洗浄式トイレに関するものである。
【０００２】
【従来の技術】
従来、洗浄式トイレは、便器の隣接した位置に排水操作レバーが備えられており、この排水操作レバーを操作することによって、水を便器内に流している。  又、別の洗浄式トイレは、用便位置の人体に感応して便器内に水を流す自動洗浄機能が備えられている。さらに、別の洗浄式トイレは、排便、排尿時に発生する用便音を覆い隠して消去する用便消去音発生機能が備えられている。
【０００３】
尚、感応とは、人体等の検出物に非接触（触れない状態）で反応することをいう。
【０００４】
【発明が解決しようとする課題】
上記の従来の排水操作レバーが備えられている洗浄式トイレにおいて、排水操作レバーが以前に誰がどのようにして使ったのかわからないために、使用しずらいといった問題点があった。又、自動洗浄機能を備えた洗浄式トイレは、使用する者が用便位置から退くと突然便器内に水が流れだすので、使用する者は、これに驚いてしまうことがしばしばであった。又、これに加えて、使用する者は、不注意から、トイレ内に財布、鞄等の忘れ物をしたり、或いは、便器内に水不溶性の物を流してしまうこともしばしばであった。
【０００５】
本発明は、上記の問題点に鑑みてなされたものであって、用を足しているものに注意を促すことにより、突然便器内に流れ出る水に驚いたり、又、不注意から生じるトラブルを回避させることのできる洗浄式トイレの提供を目的とする。
【０００６】
【課題を解決するための手段】
本発明では、人体、或いは、人体を構成する一部分に感応して、人体が退いたことを検知して用便が終了したことを検知して検出信号を出力する人体検出手段と、
人体検出手段からの検出信号を受けて所定時間注意音を発生する音発生手段と、
前記音発生手段からの注意音の発生が終わってから水を便器内に流す出水制御手段と
を備えた。
【０００８】
尚、感応とは、人体等の検出物に非接触（触ない状態）で反応することをいう。
【０００９】
【作用】
本発明に係る洗浄式トイレによれば、人体検出手段は、人体、又は、人体を構成する一部分に感応して検出信号を音発生手段および出水制御手段へ出力する。検出信号を受けた音発生手段は注意音を発生し、人体検出手段は水を便器内に流す。
【００１０】
又、人体検出手段が、用便位置の人体に感応して検出信号を出力する場合には、人体検出手段が、用便位置の人体に感応して検出信号を音発生手段および出水制御手段へ出力する。検出信号を受けた音発生手段は注意音を発生し、人体検出手段は水を便器内に流す。
【００１１】
【実施例】
実施例１
以下、本発明のその実施例１に基づいて説明する。
図１乃至図３は本発明に係る洗浄式トイレの実施例１を表している。
図１乃至図３に示すように、図中符号１は焦電型赤外線センサからなる人体検出部（人体検出手段の一例）であり、人（図外）が便器９にしゃがむと、人体から放射される赤外線に感応して人体検出信号ａを出力する。この人体検出部１の検知エリアは便器９の上部の空間、即ち、用便する人がしゃがんだときに占める空間に設定されている。
【００１２】
２は第１の制御回路であり、第１のラッチ部２１と第１のバファ部２２とから構成されている。第１のラッチ部２１は第１の制御回路２の入力側を構成し、人体検出部１からの人体検出信号ａを受ける。
【００１３】
又、第１のバファ部２２は、第１のラッチ部２１のラッチ信号ｂを受けて次段を作動させるのに充分な大きさの安定した作動信号ｃを出力するとともに、所定の時間が経過した後、リセット信号ｄを第１のラッチ部２１のリセット側へ送る。これにより、第１のラッチ部２１のラッチ信号ｂは所定の時間が経過した後に初期の状態に戻される。尚、リセット信号ｄの発生するタイミングは第１のバファ部２２の一端に接続されている抵抗（図外）とコンデンサ（図外）の値によって決まる。
【００１４】
３はメロディ信号発振部であり、第１のバファ部２２の次段に設けられている。このメロディ信号発振部３は快いメロディを合成出力する半導体音合成装置を備えており、第１の制御回路２からの作動信号ｃを受けてメロディ出力を次段へ送る。又、４はスピーカ部であり、メロディ信号発振部３の次段に設けられている。そして、メロディ信号発振部３のメロディ出力で注意音を鳴らす。
【００１５】
尚、音発生手段は第１の制御回路２と、メロディ信号発振部３と、スピーカ部４とを備えて構成されている。
【００１６】
１Ａは遅延部であり、第１の制御回路２と並列に設けられている。そして、遅延部１Ａは、人体検出信号ａを受けて、所定時間が経過した後に人体検出信号ａと同波形の信号を次段へ送る。この遅延時間は遅延部１Ａに設けられている可変抵抗１ｂの値によって予め調整されている。尚、実施例１ではスピーカ部４が鳴り止んでから略２秒後に出力するように設定されている。
【００１７】
５は第２の制御回路であり、第２のラッチ部５１と、第２のバファ部５２とから構成されている。第２のラッチ部５１は第２の制御回路５の入力側を構成し、遅延部１Ａからの遅延信号ａ１を受ける。
【００１８】
又、第２のバファ部５２は、第２のラッチ部５１からのラッチ信号ｅを受けて次段を作動させるのに充分な大きさと安定した作動信号ｆを出力するとともに、所定の時間が経過した後にはリセット信号ｇを第２のラッチ部５１のリセット側に送りラッチ信号ｅを初期の状態に戻す。
【００１９】
尚、リセット信号ｇの発生のタイミングは第２のバファ部５２に接続されている抵抗（図外）とコンデンサ（図外）の値によって決まる。又、７ａはプッシュ型スイッチであり、抵抗７ｂおよびコンデンデンサ７ｃと並列となる位置に備えられている。このプッシュ型スイッチ７ａを押すと、便器９内に流れ出している水を一時的に停止させることができ、予め設定された時間が経過した後に再び水が流れ始める。この停止時間は抵抗７ｂとコンデンサ７ｃの値によって所望の時間に設定されている。
【００２０】
６は、開閉出力部であり、第２の制御回路５からの作動信号ｆを受け、電磁弁７を開閉させるのに充分な出力を出して電磁弁７を開閉させる。
【００２１】
図３に示すように、上記各部はケース８に収納され、洗浄式トイレの壁面に固定される。ケース８の面にはスピーカ部４および人体検出部１の焦電素子が固定されている。そして、開閉出力部６の出力端は、洗浄式トイレの床面に埋設されている電磁弁７に接続される。
尚、出水制御手段は、遅延部１Ａと、第２の制御回路５と、開閉出力部６と、電磁弁７とを備えて構成されている。
【００２２】
図１乃至図３に示すように、実施例１の洗浄式トイレにおいて、人が時刻ｔ０に便器９にしゃがむと、人体検出部１の焦電型赤外線センサは人の動きによって生じる赤外線の変化を検出する。そして、これによって、人体検出信号ａはＬからＨへ変化する。
次に、用を足している者は、用を足した後に時刻ｔ１に用便位置から立ち去ると、人体検出信号ａは再びＬにもどる。即ち、人体検出信号ａは、時刻ｔ０にＬからＨに、時刻ｔ１にＨからＬに変化する。
【００２３】
尚、人体検出部１に使用されている焦電型赤外線センサ自体は、人体の移動を検知するので、用便位置にしゃがみ、その後、立ち去ると、それぞれの動作に対応してそれぞれ１つずつパルスが出力される。即ち、用便位置に位置し、そこから立ち去るといった動作により２つのパルスが出力される。この２つのパルスは内設されている信号処理機能の働きにより、より明確で安定した１つの方形波形に処理されて人体検出信号ａとして出力される。
【００２４】
第１のラッチ部２１には人体検出信号ａが入力される。第１のラッチ部２１に入力される人体検出信号ａは時刻ｔ１にＨからＬに変化するので、これを受けた第１のラッチ部２１の出力であるラッチ信号ｂは、時刻ｔ１にＬからＨに変化してＨの状態を維持する。そして、リセット信号ｄが時刻ｔ２に入力されると、ラッチ信号ｂはＨからＬに変化する。
【００２５】
第１のバファ部２２にはラッチ信号ｂが入力される。そして、第１のバファ部２２の出力である作動信号ｃはラッチ信号ｂをより安定させた同波形の信号として出力される。
【００２６】
メロディ信号発振部３には第１のバファ部２２からの出力である作動信号ｃが入力される。作動信号ｃがＨの状態、即ち、メロディ信号発振部３は、時刻ｔ１からｔ３の区間にメロディ出力を発振する。そして、このメロディ出力によりスピーカ部４は注意音を発する。
【００２７】
又、第１のバファ部２２のパルス発生機能により発生したパルスを第１のラッチ部２１のリセット側にリセット信号ｄとして入力する。このリセット信号ｄは、時刻ｔ２に立ち上がり、その後、時刻ｔ３に立ち下がる。この立ち下がり時刻ｔ３に第１のラッチ部２１は、これを読み取り、出力を初期の状態に戻す。これにより、メロディ信号発振部３はメロディ信号を出力するのを停止する。
【００２８】
人体検出部１の人体検出信号ａは遅延部１Ａに出力される。この人体検出信号ａを受けた遅延部１Ａは所定時間遅れて人体検出信号ａと同じ波形の遅延信号ａ１を出力する。
【００２９】
この遅延信号ａ１は第２のラッチ部５１の入力側へ出力される。この遅延された遅延信号ａ１は時刻ｔ０ａにＬからＨに変化し、時刻ｔ４にＨからＬに変化する。この時刻ｔ４にＨからＬに立ち下がる時点で、第２のラッチ部５１のラッチ信号ｅはＨに反転する。これにより、ラッチ信号ｅは時刻ｔ４にＬからＨに変化し、そして、リッセト信号ｇにより時刻ｔ６にＨからＬに変化する。
【００３０】
第２のバファ部５２には第２のラッチ部５１の出力であるラッチ信号ｅが入力される。そして、第２のバファ部５２の出力である作動信号ｆはラッチ信号ｅを充分に安定させた同じ波形として出力される。
【００３１】
開閉出力部６には第２のバファ部５２からの出力である作動信号ｆが入力される。作動信号ｆがＨの状態である時刻ｔ４からｔ６の区間は開閉出力部６の接点が閉じられ、これにより、電磁弁７は開放された状態となり、便器９内に水を流す。
【００３２】
又、第２のバファ部５２のパルス発生機能により発生したパルスを第２のラッチ部５１のリセット側にリセット信号ｇとして入力する。所定の時刻ｔ５にリセット信号ｇが立ち上がり時刻ｔ６に立ち下がる。この立ち下がり時刻ｔ６に第２のラッチ部５１は初期の状態に戻り、電磁弁７は閉鎖され、水は流れなくなる。
【００３３】
洗浄式トイレは、用便位置にしゃがみ、用を足した後に、用便位置から退くと、人体検出部１からの人体検出信号ａが第１の制御回路２、または、第２の制御回路５を介して、スピーカ部４が注意音を所定の時間発生させるとともに、所定時間が経過した時刻ｔ４に、電磁弁７を開放し、便器９内に水を流す。
【００３４】
即ち、便器９内に水が流れるまでの時間的な余裕を注意音で知ることができ、便を視認し健康状態を判断したり、又、便器９内に落としてしまったもの拾うことができる。尚、出水制御手段は遅延部１Ａと第２の制御回路５と開閉出力部６と電磁弁７とを備えて構成されている。又、音発手段は、第１の制御回路２と、スピーカ部４と、メロディ信号発振部３とを備えて構成されている。
【００３５】
用便位置から退いた後、水が流れ出すまでの予備時間を延長させたいときには、手動の操作用スイッチを設け、注意音の発生時間を所望の時間に延長することも可能である。又、メロディ信号発振部３に人の声を合成させ、便器内に水を流し終わった後に、例えば「忘れものはありませんか」というような声を発生するようにしてもよい。
【００３６】
この場合に、用を足している者は、「忘れものはありませんか」と言う注意音で、身のまわりを点検し、傘、鞄等の持ち物を置き忘れるのを防止することができる。
【００３７】
更に、便器９内に落としたものを拾うのに時間がかかる場合のために、水が流れるのを停止させることができる停止ボタン（図外）を設けてもよいことはいうまでもない。加えて、手動で強制的に電磁弁７を開放し、便器内に水を流す出水スイッチを設けてもよい。この場合には、便器内に水を流した後に、便器内に、汚物等が付着しているときには手動で再び水を流し、便器内を充分に洗浄することができる。
【００３８】
次に、人体検出部１として、焦電型赤外線センサに限定されるものではなく、便器（図外）の左右の一方の壁に発光素子（図外）を設けるとともに、他方の壁に受光素子（図外）を設けて、便器上の人体を検出するようにしても良い。一方の壁に発光素子と受光素子とを設け、他方の壁には単なる反射鏡を設けても良い。
【００３９】
引き続き、様式便器（図外）においては、便座にマイクロスイッチ（図外）を設けて人体検出部１としても良い。いずれにしても、便器にしゃがんだ状態を検出して人体検出信号を出力するものであれば他方の方式でも良いことは無論である。
【００４０】
又、音源として半導体音合成装置としたが磁気テープ式のものを使用することも可能である。
【００４１】
更に、人体検出部と便器との位置関係は、便器の左右に人体検出部を配設しても良く、又、便器の天井等に配設しても良いことはいうまでもない。いずれにせよ、便器に人が用便位置にいるか否かの状態を検出するために、所定の検出エリヤをもっていれば良いのである。
【００４２】
実施例１では、注意音の発生と水を流す時間的関係は注意音が発生し終わってから所定時間経過後に水を流しているが、必ずしも注意音が鳴り終わってから水を流すものとは限られず、使用条件に応じて設定することが好ましい。例えば、注意音が鳴り始めてからしばらくたった後に、この注意音のメロディを変化させ、この後に水を流してもよい。
【００４３】
実施例２
以下、本発明のその実施例２に基づいて説明する。
図４乃至図６は本発明に係る洗浄式トイレの実施例２を表している
【００４４】
図４，図６に示すように、図中符号１０Ａは、発光素子および受光素子と、これらを所望の信号形状に変換する処理機構を備えた人体検出部（人体検出手段の一例）である。そして、用を足している者が、手を検知エリア８Ａ内にさしのべると、発光素子から発する光を手が遮り、人体検出部１０Ａから人体検出信号１０ａが出力される。この人体検出部１０Ａの検知エリア８０Ａはトイレの壁面に沿った空間、即ち、用便する人が手を伸ばしたときに届くる場所に設定されている。
【００４５】
図中符号２０Ａは第１のバファ部であり、人体検出部１０Ａの人体検出信号１０ａを受けて次段を作動させるのに充分な大きさの安定した作動信号２０ａとして出力する。
【００４６】
３０Ａは、メロディ信号発振部であり、第１のバファ部２０Ａの次段に設けられている。このメロディ信号発振部３０Ａは快いメロディを合成出力する半導体音合成装置を備えており、第１のバファ部２０Ａの作動信号２０ａを受け、メロディ出力３０ａを次段に送る。
【００４７】
又、４０Ａは、スピーカ部であり、メロディ信号発振部３０Ａの次段に設けられている。そして、メロディ信号発振部３０Ａのメロディ出力３０ａを受けて注意音を鳴らす。
【００４８】
尚、音発生手段は、第１のバファ部２０Ａと、メロディ信号発振部３０Ａと、スピーカ４０Ａとを備えて構成されている。
【００４９】
５０Ａは、制御回路であり、ラッチ部５０Ｂと第２のバファ部５０Ｃとから構成されている。ラッチ部５０Ｂは制御回路５０Ａの入力側を構成し、第１のバファ部２０Ａから分岐して出力される作動信号２０ａを受ける。
【００５０】
第２のバファ部５０Ｃは、ラッチ部５０Ｂからのラッチ信号５０ａを受けて次段を作動させるのに充分な大きさと安定した作動信号５０ｂを出力するとともに、所定の時間が経過した後に、リセット信号５０ｃをラッチ部５０Ｂのリセット側に送りラッチ信号５０ａを初期の状態に戻す。
尚、リセット信号５０ｃの発生のタイミングは第２のバファ部５０Ｃに接続されている抵抗（図外）とコンデンサ（図外）の値によって決まる。
【００５１】
６０は、開閉出力部であり、制御回路５０Ａからの作動信号５０ｂを受け、電磁弁７０を開閉させるのに充分な出力を出し、電磁弁７０を開閉させる。
【００５２】
尚、出水制御手段は、制御回路５０Ａと、開閉出力部６０と、電磁弁７０とから構成されている。
【００５３】
図６に示すように、上記各部はケース８０に収納され、洗浄式トイレの壁面に固定される。ケース８０の面にはスピーカ部４０が設けられるとともに、断面コの字状に形成された取り付けフレーム８０ｃの突出する板面に対向するように、発光素子８０ａと受光素子８０ｂが設けられている。
【００５４】
図４乃至図６に示すように、上記構成の洗浄式トイレにおいて、人が時刻ｔ０に用便位置から検知エリア８０Ａ内に手を伸ばすと、発光素子８０ａからの光が遮られる。これに感応して人体検出信号１０ａはＬからＨに変化する。次に、時刻ｔ１に手を検出エリア８０Ａ内から退けると、人体検出信号１０ａは再びＬにもどる。即ち、人体検出信号１０ａは、時刻ｔ０にＬからＨに、時刻ｔ１にＨからＬに変化する。
【００５５】
第１のバファ部２０Ａには人体検出部１０Ａの出力である人体検出信号１０ａが入力される。そして、第１のバファ部２０Ａの出力である作動信号２０ａは人体検出信号１０ａをより安定させた同波形の信号として出力される。
【００５６】
メロディ信号発振部３０Ａには第１のバファ部２０Ａからの出力である作動信号２０ａが入力される。作動信号２０ａがＨの状態である時刻ｔ１からｔ２の間、即ち、検出エリア８０Ａ内を手が遮っている間はメロディ信号発振部３からメロディ出力が発振される。このメロディ出力３０ａによりスピーカ部４０Ａは注意音を発する。
【００５７】
第１のバファ部２０Ａの作動信号２０ａは分岐されて、その一部は第２のラッチ部５０Ｂの入力側に出力される。この分岐された作動信号２０ａは時刻ｔ０にＬからＨに変化し、時刻ｔ２にＨからＬに変化する。
【００５８】
第２のバファ部５０Ｃには第２のラッチ部５０Ｂの出力であるラッチ信号５０ａが入力される。そして、第２のバファ部５０Ｃの出力である作動信号５０ｂはラッチ信号５０ａを充分に安定させた同じ波形の信号として出力される。
【００５９】
開閉出力部６０には第２のバファ部５０Ｃからの出力である作動信号５０ｂが入力される。作動信号５０ｂがＨの状態である時刻ｔ１からｔ３の区間は開閉出力部６の接点が閉じられ、これにより、電磁弁７は開放された状態となり、便器９０内に水を流す。
【００６０】
又、第２のバファ部５０Ｃのパルス発生機能により発生したパルスを第２のラッチ部５０Ｂのリセット側にリセット信号５０ｃとして入力する。所定の時刻ｔ２にリセット信号ｇが立ち上がり時刻ｔ３に立ち下がる。この立ち下がり時刻ｔ３に第２のラッチ部５０Ｂは初期の状態に戻り、電磁弁７０は閉鎖され、水は流れなくなる。
【００６１】
洗浄式トイレは、トイレの壁面にある検出エリア８０Ａに手を伸ばすと、人体検出部１０Ａからの人体検出信号１０ａが第１のバファ２０Ａ、または、メロディ信号発振部３０Ａを介して、スピーカ部４０Ａが発生させるとともに、手が検出エリア８０Ａ内から退かせると、注意音がなりやむと同時に、電磁弁７０を開放し、便器９０内に所定の時間水が流れる。
【００６２】
尚、発光素子８０ａと受光素子８０ｂとの区間を略５０ｃｍに設定しているが、１０ｃｍ程度の狭いものにしてもよい。この場合には、検知感度が高くなる。
【００６３】
上記のように構成された洗浄式トイレは、トイレの壁面に形成されている検出エリア８０Ａ内に手を伸ばすことにより、注意音を発生させるとともに、検出エリア８０Ａ内からから手を退けて便器９０内に水を流すことができる。
【００６４】
即ち、排水操作レバーを触ることなく、便器９０内に水を流すことができる。加えて、注意音の発生によって、水が流れ出す時期を正確に知ることができる。加えて、排水前に注意すべきことを注意音として発生させることもできる。例えば、「水を流しますのでご注意下さい」というようなものを注意音として発生させても良い。
【００６５】
尚、例１，２では大便用便器に使用しているが、大便器に限られず、男性用小便器に使用しても良い。
【００６６】
【発明の効果】
本発明に係る洗浄式トイレによれば、人体検出手段が人体、或いは、人体を構成する一部分に感応して検出信号を出力するので、排水用操作レバー等に触れて操作することなく、便器内に水を流すことができ、使うものにとって衛生的で扱い易い。これに加えて、注意音を発生させることができるので、不注意で生じるトラブルを避けることができる。尚、上記注意音として、（「ナイロン類は流さないで下さい。」、或いは、「持ち物のお忘れはありませんか。」）というようなものが考えられる。
【００６７】
人体検出手段が、用便位置の人体に感応する場合には、用を足した後に、便器内から人体が退いたことを人体検出手段が感知し、自動的に便器内に水を流すことができる。これに加えて、所定のタイミングで、音発生手段が注意音を発生させることができる。
例えば、注意音を発生させた後に、便器内に水を流すように作動するタイミングを設定すると、少なくとも注意音が発生している間は、便器内に水が流れないので、便器内への水の流れ出しを予め知ることができる。これによって、万が一にも、使用する者は突然便器内に流れ出す水に驚くことなく、又、大便を充分に視認することができるとともに、便器内に落とした持ち物等を拾う時間的な余裕を得ることができる。
【００６８】
又、出水制御手段が便器内へ水を流し始めた後に、音発生手段が注意を促す注意音を発生させるように作動させるタイミングを設定すると、例えば、注意音として、わすれものに注意するような音を発生させれば、使用する者は忘れ物に注意し、忘れ物によるトラブルを回避することができる。
【図面の簡単な説明】
【図１】本発明の実施例１に係る洗浄式トイレを説明するブロック図である。
【図２】本発明の実施例１に係る洗浄式トイレを説明する動作チャート図である。
【図３】本発明の実施例１に係る洗浄式トイレの設置状態を示す斜視図である。
【図４】本発明の実施例２に係る洗浄式トイレを説明するブロック図である。
【図５】本発明の実施例２に係る洗浄式トイレを説明する動作チャート図である。
【図６】本発明の実施例２に係る洗浄式トイレの設置状態を示す斜視図である。
【符号の説明】
１，１０Ａ      人体検出部
１Ａ            遅延部
２              第１の制御回路
２０Ａ          第１のバファ部
２１            第１のラッチ部
２２            第１のバファ部
３，３０Ａ      メロディ信号発振部
４，４０Ａ      スピーカ部
５              第２の制御回路
５０Ａ          制御回路
６，６０        開閉出力部
７，７０        電磁弁
８，８０        ケース
９，９０        便器
【図１】
0003664754.tif 000002
【図２】
0003664754.tif 000003
【図３】
0003664754.tif 000004
【図４】
0003664754.tif 000005
【図５】
0003664754.tif 000006
【図６】
0003664754.tif 000007